(57)【要約】【課題】客室内空間の美観を損ない難いＬＥＤ灯具を提供する。【解決手段】ＬＥＤ灯具１０の発光部３０には、一方の反射板２３に向けて照明光を出射する複数のＬＥＤチップ５３が上側発光部３１の外側平坦面３１ａに設けられ、他方の反射板２４に向けて照明光を出射する複数のＬＥＤチップ６３が屈曲した下側発光部３５の内側平坦面３５ｃに設けられる。つまり、一方の反射板２３に照明光を出射する複数のＬＥＤチップ５３と、他方の反射板２４に照明光を出射する複数のＬＥＤチップ６３と、がそれぞれ段違いに２段に設けられる。これにより、一方の反射板２３で反射した照明光は、下側発光部３５の外側平坦面３５ａ，３５ｂを照らすため、照明光が出射されない外側平坦面３５ａ，３５ｂが暗くならない。したがって、発光部３０の下側発光部３５、特に、外側平坦面３５ａ，３５ｂに影ができないので、客室内空間の美観を損ない難くする。【選択図】図３
2015149134.tif 000002
【特許請求の範囲】
【請求項１】
複数の発光ダイオードが長手方向に沿って列状に設けられ天井または壁（以下、天井等という）に取り付けられる長尺状のＬＥＤ灯具であって、
当該ＬＥＤ灯具の短手方向両側に設けられ当該ＬＥＤ灯具の長手方向に延びる一対の反射板と、
前記長手方向の端部から見て、前記一対の反射板に挟まれた中央部に一端側が接続され前記天井等から離れる方向に「＞」記号または「＜」記号の形状に延びて他端側が屈曲するとともに前記長手方向に延設される発光部と、を備え、
前記発光部には、前記一対の反射板のうち一方の反射板に向けて照明光を出射する前記複数の発光ダイオードの一部が前記一端側の優角側の側面に設けられ、前記一対の反射板のうち他方の反射板に向けて照明光を出射する前記複数の発光ダイオードの残部が屈曲した前記他端側の劣角側の側面に設けられることを特徴とするＬＥＤ灯具。
【請求項２】
前記一方の反射板で反射した照明光は、前記他端側の優角側の側面で反射することを特徴とする請求項１に記載のＬＥＤ灯具。
【請求項３】
前記一対の反射板、前記中央部および前記発光部（ただし、前記複数の発光ダイオードを除く）は、一体に形成されることを特徴とする請求項１または２に記載のＬＥＤ灯具。
【発明の詳細な説明】
【技術分野】
【０００１】
本発明は、複数の発光ダイオードが長手方向に沿って列状に設けられ天井や壁に取り付けられる長尺状のＬＥＤ灯具に関するものである。
【背景技術】
【０００２】
長尺状のＬＥＤ灯具として、例えば、下記特許文献１の意匠登録公報（意匠に係る物品「照明器具用ケーシング」）の参考図に開示されるものがある。このＬＥＤ灯具は、鉄道車両や航空機、自動車等の客室内に設置されるものであり、例えば、同文献の「客室内に設置した状態を示す参考断面図」に示されるように、客室の天井に取り付けられて使用される。
【０００３】
このようなＬＥＤ灯具は、光源であるＬＥＤ（発光ダイオード）から照射される照明光を反射面で反射させて下方に向けて照射する。そのため、ＬＥＤから直接照射される直接光は、下方を照らさないことから、ＬＥＤ自体を覆うグローブを必要とせず、鉄道車両等の客室内の美観を損ない難い。
【先行技術文献】
【特許文献】
【０００４】
【特許文献１】意匠登録第１４５８４４０号公報（使用状態を示すＡ−Ａ線参考拡大断面図）
【発明の概要】
【発明が解決しようとする課題】
【０００５】
しかしながら、上記特許文献１に開示されるＬＥＤ灯具は、「使用状態を示すＡ−Ａ線参考拡大断面図」に表されるように、両側に向けて基板を取り付ける取付部には空間が形成されている。この空間は、例えば、当該ＬＥＤ灯具を鉄道車両等の天井に固定するボルトを通すためのものであり、ここからは照明光が出射されない。そのため、客室を利用する乗客には、このような空間が暗影状に見え得る。即ち、特許文献１のＬＥＤ灯具では、その短手方向中央部に幅広の帯状の暗い部分が長手方向に延びるように見えることから、当該ＬＥＤ灯具を含めた客室内空間、特に天井の美観を損ない得るという問題がある。
【０００６】
本発明は、上述した課題を解決するためになされたもので、客室内空間の美観を損ない難いＬＥＤ灯具を提供することを目的とする。
【課題を解決するための手段】
【０００７】
上記目的を達成するため、特許請求の範囲の請求項１に記載されたＬＥＤ灯具は、複数の発光ダイオードが長手方向に沿って列状に設けられ天井または壁（以下、天井等という）に取り付けられる長尺状のＬＥＤ灯具であって、当該ＬＥＤ灯具の短手方向両側に設けられ当該ＬＥＤ灯具の長手方向に延びる一対の反射板と、前記長手方向の端部から見て、前記一対の反射板に挟まれた中央部に一端側が接続され前記天井等から離れる方向に「＞」記号または「＜」記号の形状に延びて他端側が屈曲するとともに前記長手方向に延設される発光部と、を備え、前記発光部には、前記一対の反射板のうち一方の反射板に向けて照明光を出射する前記複数の発光ダイオードの一部が前記一端側の優角側の側面に設けられ、前記一対の反射板のうち他方の反射板に向けて照明光を出射する前記複数の発光ダイオードの残部が屈曲した前記他端側の劣角側の側面に設けられることを特徴とする。
【０００８】
なお、「優角」および「劣角」は、「＞」記号または「＜」記号の形状に屈曲するその屈曲角を共役角とした場合において、互いに反対側に位置する二角のことであり、１８０度を超える側を「優角」といい、１８０度に満たない側を「劣角」という。
【０００９】
請求項１に記載のＬＥＤ灯具の発明では、ＬＥＤ灯具の短手方向中央の中央部には、ＬＥＤ灯具の長手方向の端部から見て、「＞」記号または「＜」記号の形状に屈曲する発光部が設けられる。そして、この発光部には、一方の反射板に向けて照明光を出射する複数の発光ダイオードの一部が発光部の一端側の優角側の側面に設けられ、他方の反射板に向けて照明光を出射する複数の発光ダイオードの残部が発光部の他端側の劣角側の側面に設けられる。つまり、一方の反射板に照明光を出射する複数の発光ダイオードの一部と、他方の反射板に照明光を出射する複数の発光ダイオードの残部と、がそれぞれ段違いに設けられる。これにより、一方の反射板で反射した照明光は、他端側の優角側の側面を照らすため、照明光が出射されない他端側の優角側の側面が暗くならない。
【００１０】
また、特許請求の範囲の請求項２に記載されたＬＥＤ灯具は、請求項１に記載されたＬＥＤ灯具において、前記一方の反射板で反射した照明光は、前記他端側の優角側の側面で反射することを特徴とする。
【００１１】
請求項２に記載のＬＥＤ灯具の発明では、一方の反射板で反射した照明光が他端側の優角側の側面で反射するため、一方の反射板による間接光に加えて、他端側の優角側の側面で反射した照明光も間接光として寄与する。これにより、照明光の照射範囲が拡がったり、明るさが増加したりする。
【００１２】
さらに、特許請求の範囲の請求項３に記載されたＬＥＤ灯具は、請求項１または２に記載されたＬＥＤ灯具において、前記一対の反射板、前記中央部および前記発光部（ただし、前記複数の発光ダイオードを除く）は、一体に形成されることを特徴とする。
【００１３】
請求項３に記載のＬＥＤ灯具の発明では、一対の反射板、中央部および発光部が一体に形成されるため、それぞれを別体に形成した場合に比べて、部品点数や組付工数が削減する。これにより、ＬＥＤ灯具の製造コストを低減する。
【発明の効果】
【００１４】
本発明では、ＬＥＤ灯具の一方の反射板で反射した照明光は、他端側の優角側の側面を照らすため、照明光が出射されない他端側の優角側の側面が暗くならない。したがって、発光部の他端側の優角側の側面に暗い部分ができ難くなるので、客室内空間の美観を損ない難い。
【図面の簡単な説明】
【００１５】
【図１】本発明の一実施形態に係るＬＥＤ灯具の使用状態を示す説明図である。
【図２】本実施形態に係るＬＥＤ灯具の斜視図である。
【図３】図２に示すIII線矢視によるＬＥＤ灯具の側面図である。
【図４】本実施形態のＬＥＤ灯具による照明光の照射範囲の例を示す説明図であり、図４(A)は上側発光部による照射範囲、図４(B)は下側発光部による照射範囲、をそれぞれ示す。
【図５】本発明の別の実施形態に係るＬＥＤ灯具の側面図である。
【発明を実施するための形態】
【００１６】
以下、本発明のＬＥＤ灯具の実施形態について各図を参照して説明する。ＬＥＤ灯具１０の構成を図１〜図３を参照して説明する。なお、図１には、ＬＥＤ灯具１０の使用状態を示す説明図が図示されている。図２には、ＬＥＤ灯具１０の斜視図、また図３には、図２に示すIII線矢視によるＬＥＤ灯具１０の側面図、がそれぞれ図示されている。
【００１７】
図１に示すように、ＬＥＤ灯具１０は、複数の発光ダイオードが長手方向に沿って列状に設けられて、鉄道車両の客室内の天井や壁等の取付面１００に取り付けられる長尺状の室内照明装置である。なお、本明細書では、図１〜図３に示す座標軸表示におけるＸ軸方向を「短手方向」といい、またＹ軸方向を「長手方向」、さらにＺ軸方向を「高さ方向」という。
【００１８】
図１および図２に示すように、ＬＥＤ灯具１０は、本体部２０、発光部３０、ＬＥＤ列部５０，６０、サイドカバー７０等から構成されている。なお、図２においては、ＬＥＤ灯具１０の端部の構成を明示するために、サイドカバー７０を取り外した状態のＬＥＤ灯具１０を図示している。本体部２０は、例えば、アルミニウムからなり、板厚の棒形状を成す中央部２１と、この中央部２１を短手方向から挟み込むように中央部２１の両側に位置する反射板２３，２４と、これらの反射板２３，２４にそれぞれ繋がる側端部２５，２６と、から構成されている。
【００１９】
本実施形態では、本体部２０を構成する、これら（中央部２１、反射板２３，２４、側端部２５，２６）は、後述する発光部３０とともに、押出加工または切削加工により長尺状に一体に形成されている。これにより、中央部２１、反射板２３，２４、側端部２５，２６および発光部３０をそれぞれ別体に形成した場合に比べ、部品点数や組付工数が削減されるため、ＬＥＤ灯具１０の製造コストを低減させることができる。なお、これらにアルミニウム等の金属材料を使用するのは、不燃性や熱伝導特性の点で良好だからである。
【００２０】
なお、図示していないが、ＬＥＤ灯具１０を取付面１００に取り付ける構成は、中央部２１やサイドカバー７０に設けられる。例えば、ＬＥＤ灯具１０を取り付けるために取付面１００に形成される凹部に係合可能な構造を、中央部２１の長手方向端部またはサイドカバー７０に設けたり、取付面１００の方向に向く中央部２１の裏面に、取付面１００に設けられる被係合部に係合可能な構造を設けたりする。これにより、ＬＥＤ灯具１０を取付面１００に取り付けることが可能になる。
【００２１】
反射板２３，２４は、中央部２１の短手方向両端に形成されている。本実施形態では、反射板２３，２４は、その端部形状（図２に示すIII線矢視方向から見た形状のこという。以下、同じ。）が凹状の曲面形状に湾曲している。これにより、例えば、ＬＥＤ灯具１０が天井等の取付面１００に取り付けられた場合、発光部３０から出射された照明光を客室の床面方向に反射する。側端部２５，２６は、反射板２３，２４をそれぞれ短手方向に延長したその延長上に形成されている。これらは、いずれも平坦な板状を成しており、天井等の取付面１００に当接可能な板幅に設定されている。
【００２２】
図３に示すように、発光部３０は、その端部形状が「＞」記号のように形成されており、一端側が中央部２１の表面平坦部２１ａに接続され、他端側が天井等の取付面１００から離れる方向に延びている。中央部２１の裏面平坦部２１ｂには、発光部３０にＬＥＤ（発光ダイオード）の駆動電力を供給するＬＥＤ電源部８０が取り付けられている。本実施形態では、ＬＥＤ電源部８０は、中央部２１の裏面平坦部２１ｂに設けているが、反射板２３，２４の裏側に設けられる場合もある。
【００２３】
発光部３０は、上側発光部３１と下側発光部３５により構成されており、端部形状が図３に示す一点鎖線で表されるように「＞」記号の形状に屈曲している。上側発光部３１は発光部３０の一端側のことであり、高さ方向において取付面１００側（上側）に位置している。また、下側発光部３５は発光部３０の他端側のことであり、高さ方向において取付面１００の反対側（下側）に位置している。上側発光部３１および下側発光部３５は、前述した本体部２０と一体に長手方向に延びる長尺状に形成されている。
【００２４】
なお、図２に示すIII線矢視方向の反対側からＬＥＤ灯具１０を見た場合には、発光部３０は「＜」記号のような形状に見える。つまり、発光部３０の端部形状は、見る方向の違いにより「＞」記号または「＜」記号のいずれの形状にも見える。
【００２５】
発光部３０の上側発光部３１には、ＬＥＤ列部５０が設けられている。ＬＥＤ列部５０は、ＬＥＤ基板５１、複数のＬＥＤチップ５３および透明カバー５５により構成されており、複数のＬＥＤチップ５３から出射される照明光が反射板２３で反射し得るように、照明光の光軸を反射板２３のほぼ中央に向けている。即ち、上側発光部３１には、ＬＥＤ収容室３２が形成されており、このＬＥＤ収容室３２の内部に、細長の短冊形状を成すＬＥＤ基板５１が収容されている。ＬＥＤ基板５１には、複数のＬＥＤチップ５３がＬＥＤ基板５１の長手方向（図３において紙面垂直方向）に沿って列状に配置されて実装されている。ＬＥＤ基板５１には、ＬＥＤ電源部８０から供給される駆動電力をこれらのＬＥＤチップ５３に給電可能な配線が形成されている。
【００２６】
ＬＥＤ収容室３２の底面、つまり内側平坦面３１ｂは、上側発光部３１の優角θの側に面した側面であり、この内側平坦面３１ｂにＬＥＤ基板５１が取り付けられている。ＬＥＤ基板５１は、例えば、両面テープにより内側平坦面３１ｂに貼着される。なお、優角θは、１８０度を超える角（１８０度＜θ＜３６０度）のことである。これに対して、１８０度未満の角（０度＜θ’＜１８０度））は劣角θ’であり、上側発光部３１の劣角θ’の側に面した側面が外側平坦面３１ａである。本実施形態の発光部３０では、例えば、優角θは２７０度、劣角θ’は９０度に設定されている。
【００２７】
また、上側発光部３１には、ＬＥＤ列部５０の透明カバー５５を取り付ける溝部３３，３４が形成されている。即ち、ＬＥＤ収容室３２の開口部を塞ぎ得る長尺の短冊形状を成す透明カバー５５をスライドさせて取り付け可能な溝幅の溝部３３，３４が、上側発光部３１の上端側と下端側に形成されている（上端側はＺ軸の矢印先端側、下端側はＺ軸の矢印根元側）。透明カバー５５は、例えば、ガラス板若しくはアクリル板である。
【００２８】
一方、発光部３０の下側発光部３５には、ＬＥＤ列部６０が設けられている。ＬＥＤ列部６０は、ＬＥＤ基板６１、複数のＬＥＤチップ６３および透明カバー６５により構成されており、複数のＬＥＤチップ６３から出射される照明光が反射板２４で反射し得るように、照明光の光軸を反射板２４のほぼ中央に向けている。即ち、下側発光部３５には、ＬＥＤ収容室３６が形成されており、このＬＥＤ収容室３６の内部に、細長の短冊形状を成すＬＥＤ基板６１が収容されている。ＬＥＤ基板６１は、ＬＥＤ基板５１と同様に、列状に配置された複数のＬＥＤチップ６３が実装されている。ＬＥＤ基板６１にも、ＬＥＤ電源部８０から供給される駆動電力をこれらのＬＥＤチップ６３に給電可能な配線が形成されている。
【００２９】
ＬＥＤ収容室３６の底面、つまり内側平坦面３５ｃは、下側発光部３５の劣角θ’の側に面した側面であり、この内側平坦面３５ｃにＬＥＤ基板６１が取り付けられている。ＬＥＤ基板６１も、例えば、両面テープにより内側平坦面３５ｃに貼着される。なお、下側発光部３５においては、優角θの側に面する側面は、外側平坦面３５ａ，３５ｂである。
【００３０】
また、下側発光部３５にも、ＬＥＤ列部６０の透明カバー６５を取り付ける溝部３７，３８が形成されている。即ち、ＬＥＤ収容室３６の開口部を塞ぎ得る長尺の短冊形状を成す透明カバー６５をスライドさせて取り付け可能な溝幅の溝部３７，３８が、下側発光部３５の上端側と下端側に形成されている。透明カバー６５は、例えば、ガラス板若しくはアクリル板である。ガラス板は不燃である点でアクリル板よりも優れており、またアクリル板は軽量かつ破損時に飛散しない点でガラス板よりも優れている。なお、拡散フィルム等の透光性の樹脂シートをほぼ全面に貼付することによってガラス板であっても破損時の飛散を防止することができる。
【００３１】
本実施形態のＬＥＤ灯具１０では、このように発光部３０を構成することによって、上側発光部３１から出射される照明光は反射板２３で反射し、また下側発光部３５から出射される照明光は反射板２４で反射して、それぞれ客室の床面方向を照らす。ここで、発光部３０から照射される照明光の照射範囲について、図４を参照して説明する。図４には、ＬＥＤ灯具１０による照明光の照射範囲の例を示す説明図が図示されており、図４(A)は上側発光部３１による照射範囲、図４(B)は下側発光部３５による照射範囲、をそれぞれ示す。
【００３２】
図４(A)に示すように、発光部３０を構成する上側発光部３１は、ＬＥＤ列部５０により照明光を出射する。ＬＥＤ列部５０は、前述したように、複数のＬＥＤチップ５３から出射される照明光が反射板２３で反射し得るように、照明光の光軸を反射板２３のほぼ中央に向けているが、照明光はＬＥＤチップ５３を中心に所定角度（例えば１２０度）で扇形状に拡がる。そのため、照明光のすべてが反射板２３で反射されるわけではなく、反射板２３で反射されない照明光の一部は、直接、ＬＥＤ灯具１０の側方、例えば、客室内の側壁を照らす（図４(A)に示す符号α）。
【００３３】
一方、反射板２３で反射された照明光は、ＬＥＤ灯具１０の下方（Ｚ軸の矢印根元方向）に向けて進むため、例えば、客室内の床面を照らす（図４(A)に示す符号β）。照明光を反射する反射板２３は、前述したように、ＬＥＤ灯具１０の下方に向けて凹状に湾曲している。また、発光部３０は「＞」記号の形状に屈曲している。このため、反射板２３の短手方向外側（Ｘ軸の矢印先端方向）で反射した照明光は、発光部３０の下端に向け下側発光部３５の外側平坦面３５ａ，３５ｂに沿うように進む。これにより、下側発光部３５に照明光が当たるため、発光部３０の下端が影になり難い。また、反射板２３による間接光に加えて、下側発光部３５の外側平坦面３５ａ，３５ｂで反射した照明光も間接光として寄与する。これにより、照明光の照射範囲が拡がったり、明るさが増加したりする。なお、図４(A)に示す符号γは、ＬＥＤチップ５３からの直接光と、反射板２３による間接光とが重複する範囲（濃い灰色範囲）を示す。
【００３４】
これに対して、図４(B)に示すように、発光部３０を構成する下側発光部３５は、ＬＥＤ列部６０により照明光を出射する。ＬＥＤ列部６０は、前述したように、複数のＬＥＤチップ６３から出射される照明光が反射板２４で反射し得るように、照明光の光軸を反射板２４のほぼ中央に向けている。また、ＬＥＤチップ６３の出射光も所定角度（例えば１２０度）で扇形状に拡がる。そのため、照明光のすべてが反射板２４で反射されるわけではなく、反射板２４で反射されない照明光の一部が、直接、ＬＥＤ灯具１０の側方、例えば、客室内の側壁を照らす（図４(B)に示す符号δ）。また、上側発光部３１の外側平坦面３１ａにも反射するため、反射した照明光は間接光としてＬＥＤ灯具１０の側方を照らす。これにより、照明光の照射範囲が拡がったり、明るさが増加したりする。
【００３５】
他方、反射板２４で反射された照明光は、ＬＥＤ灯具１０の下方（Ｚ軸の矢印根元方向）に向けて進むため、例えば、客室内の床面を照らす（図４(B)に示す符号ε）。照明光を反射する反射板２４は、前述したように、ＬＥＤ灯具１０の下方に向けて凹状に湾曲している。そのため、反射板２４の短手方向外側（Ｘ軸の矢印根元方向）で反射した照明光の一部は、回折して、発光部３０の下端に向け下側発光部３５の外側平坦面３５ｄに沿うように進む。これにより、下側発光部３５にも照明光が当たるため、発光部３０の下端が影になり難い。なお、図４(B)に示す符号ζは、ＬＥＤチップ６３からの直接光と、反射板２４による間接光とが重複する範囲（濃い灰色範囲）を示す。
【００３６】
このように発光部３０の下端には、反射板２３および反射板２４の双方で反射した照明光が当たることから、下側発光部３５の外側平坦面３５ａ，３５ｂ，３５ｄが暗くならない。したがって、発光部３０の下側発光部３５、特に、外側平坦面３５ａ，３５ｂに影ができないので、客室内空間の美観を損ない難くすることができる。
【００３７】
以上説明したように本実施形態に係るＬＥＤ灯具１０では、当該ＬＥＤ灯具１０の短手方向両側に設けられ当該ＬＥＤ灯具の長手方向に延びる一対の反射板２３，２４と、長手方向の端部から見て、一対の反射板２３，２４に挟まれた中央部２１に上側発光部３１が接続され天井等の取付面１００から離れる方向に「＞」記号または「＜」記号の形状に延びて下側発光部３５が屈曲するとともに長手方向に延設される発光部３０と、を備える。そして、発光部３０には、一方の反射板２３に向けて照明光を出射する複数のＬＥＤチップ５３が上側発光部３１の優角側の外側平坦面３１ａに設けられ、他方の反射板２４に向けて照明光を出射する複数のＬＥＤチップ６３が屈曲した下側発光部３５の劣角側の内側平坦面３５ｃに設けられる。つまり、一方の反射板２３に照明光を出射する複数のＬＥＤチップ５３と、他方の反射板２４に照明光を出射する複数のＬＥＤチップ６３と、がそれぞれ段違いに２段に設けられる。これにより、一方の反射板２３で反射した照明光は、下側発光部３５の外側平坦面３５ａ，３５ｂを照らすため、照明光が出射されない外側平坦面３５ａ，３５ｂが暗くならない。また、他方の反射板２４で反射した照明光は、回折して、下側発光部３５の外側平坦面３５ｄを照らすため、照明光が出射されない外側平坦面３５ｄが暗くならない。したがって、ＬＥＤ灯具１０の下部、つまり下側発光部３５（特に、外側平坦面３５ａ，３５ｂ，３５ｄ）に暗い部分ができ難くなるので、客室内空間の美観を損ない難くすることができる。
【００３８】
なお、上述した実施形態では、本体部２０および発光部３０の短手方向における形状をその端部形状として捉えて説明したが、本体部２０および発光部３０は、一端側から他端側（または他端側から一端側）に向けて同一若しくはほぼ同一の形状を成す長尺状に形成されている。そのため、本体部２０および発光部３０の短手方向における形状は、これらを短手方向に沿って切断した場合における断面形状においても、上述した端部形状と同様に構成されている。
【００３９】
また、上述した実施形態では、本体部２０および発光部３０を一体に形成したが、これらを別体に構成しても良い。この場合には、本体部２０の中央部２１に対して、発光部３０を取り付ける取り付け構造を本体部２０および／または発光部３０に設ける必要がある。発光部３０が本体部２０から取り外し可能に構成することにより、これらが一体に構成されている場合に比べて発光部３０のメンテナンス作業（例えば、ＬＥＤ列部５０，６０を構成するＬＥＤ基板５１，６１や透明カバー５５，６５の交換作業）が容易になる。
【００４０】
次に、本発明のＬＥＤ灯具の別の実施形態について図５を参照して説明する。図５には、ＬＥＤ灯具１１０の側面図が図示されている。ＬＥＤ灯具１１０の反射板１２４は、Ｘ軸の矢印根元方向およびＺ軸の矢印根元方向に延びるように構成されている。この場合、反射板１２４の短手方向外側（Ｘ軸の矢印根元方向）で反射した照明光は外側平坦面３５ｄを直接的に照らすので、外側平坦面３５ａをより明るく照らすことができる。したがって、ＬＥＤ灯具１０の下部、つまり下側発光部３５（特に、外側平坦面３５ａ，３５ｂ，３５ｄ）に暗い部分ができ難くなるので、客室内空間の美観を損ない難くすることができる。
【符号の説明】
【００４１】
１０…ＬＥＤ灯具
２０…本体部
２１…中央部
２３…反射板（一方の反射板）
２４…反射板（他方の反射板）
２５、２６…側端部
３０…発光部
３１…上側発光部（発光部の一端側）
３１ａ…外側平坦面
３１ｂ…内側平坦面（一端側の優角側の側面）
３２、３６…ＬＥＤ収容室
３３、３４、３７、３８…溝部
３５…下側発光部（発光部の他端側）
３５ａ、３５ｂ…外側平坦面（他端側の優角側の側面）
３５ｃ…内側平坦面（他端側の劣角側の側面）
５０、６０…ＬＥＤ列部
５１、６１…ＬＥＤ基板
５３…ＬＥＤチップ（複数の発光ダイオードの一部）
５５、６５…透明カバー
６３…ＬＥＤチップ（複数の発光ダイオードの残部）
７０…サイドカバー
８０…ＬＥＤ電源部
１００…取付面
１２４…反射板（他方の反射板）
θ…優角
θ’…劣角
【図１】
2015149134.tif 000003
【図２】
2015149134.tif 000004
【図３】
2015149134.tif 000005
【図５】
2015149134.tif 000006
【図４】
2015149134.tif 000007